(57)【要約】【課題】  各部の位置精度の向上による薄型化を図る。【解決手段】  ディスクテーブル５９とともにディスク状記録媒体１００を挟持してチャッキングし回転摺動突起５１ｇを有するチャッキングプーリー４９と、チャキングプーリーを回転自在に支持する支持アーム４２と、支持アームに設けられた第１の昇降用ピン４５、４５及び第２の昇降用ピン４６、４６と、支持アームに固定され回転摺動突起の先端が接触されチャッキングプーリーをディスクテーブル側へ押さえる押さえ部材５２と、第１の昇降用ピンに弾接された付勢バネ４８と、チャッキングプーリーをディスクテーブルに離接する方向へ移動させる移動手段３１、３６とを設け、移動手段にディスク状記録媒体のチャッキング時に第１の昇降用ピンを作用位置に保持する保持部３９ｃ、３９ｃを形成し、作用位置に保持された第１の昇降用ピンによって付勢バネを弾性変形させて支持アーム及び押さえ部材をディスクテーブルに接近する方向へ付勢するようにした。【選択図】        図２２
2005092953.tif 000002
【特許請求の範囲】
【請求項１】
スピンドルモーターのモーター軸に固定されスピンドルモーターの回転に伴って回転されるディスクテーブルと、
ディスクテーブルとともにディスク状記録媒体を挟持してチャッキングしディスクテーブルの反対側に突出された回転摺動突起を有するチャッキングプーリーと、
チャッキングプーリーの軸方向と直交する方向に延び長手方向における一端部にチャキングプーリーを回転自在に支持する支持アームと、
支持アームの他端部において上記長手方向に離隔して設けられた第１の昇降用ピン及び第２の昇降用ピンと、
支持アームに固定されると共にディスク状記録媒体の回転時にチャッキングプーリーの回転摺動突起の先端が接触されチャッキングプーリーをディスクテーブル側へ押さえる押さえ部材と、
一部が支持アームに取り付けられ他の一部が第１の昇降用ピンに弾接された付勢バネと、
第１の昇降用ピンと第２の昇降用ピンを移動可能に支持しチャッキングプーリーをディスクテーブルに離接する方向へ移動させる移動手段とを備え、
移動手段にディスク状記録媒体のチャッキング時に第１の昇降用ピンを作用位置に保持する保持部を形成し、
作用位置に保持された第１の昇降用ピンによって付勢バネを弾性変形させて支持アーム及び押さえ部材をディスクテーブルに接近する方向へ付勢するようにした
ことを特徴とするディスクチャッキング機構。
【請求項２】
筐体に取り付けられたスピンドルモーターのモーター軸に固定されスピンドルモーターの回転に伴って回転されると共に中心部に位置決め突部が設けられたディスクテーブルと、
ディスクテーブルとともにディスク状記録媒体を挟持してチャッキングしディスクテーブルの位置決め突部が挿入される位置決め筒を有するチャッキングプーリーと、
チャッキングプーリーの軸方向と直交する方向に延び該チャッキングプーリーを回転自在に支持する支持アームと、
支持アームを移動可能に支持しチャッキングプーリーをディスクテーブルに離接する方向へ移動させる移動手段とを備え、
支持アームに被規制部を設け、
上記筐体に、被規制部を規制して支持アームのチャッキングプーリーの軸方向に直交し、かつ、支持アームの長手方向に直交する方向への移動を規制する規制部を設けた
ことを特徴とするディスクチャッキング機構。
【請求項３】
スピンドルモーターのモーター軸に固定されスピンドルモーターの回転に伴って回転されるディスクテーブルと、ディスクテーブルとともにディスク状記録媒体を挟持してチャッキングしディスクテーブルの反対側に突出された回転摺動突起を有するチャッキングプーリーとを備え、ディスクテーブルとチャッキングプーリーによってチャッキングされたディスク状記録媒体に対して情報信号の記録又は再生を行うディスクドライブ装置であって、
チャッキングプーリーの軸方向と直交する方向に延び長手方向における一端部にチャキングプーリーを回転自在に支持する支持アームと、
支持アームの他端部において上記長手方向に離隔して設けられた第１の昇降用ピン及び第２の昇降用ピンと、
支持アームに固定されると共にディスク状記録媒体の回転時にチャッキングプーリーの回転摺動突起の先端が接触されチャッキングプーリーをディスクテーブル側へ押さえる押さえ部材と、
一部が支持アームに取り付けられ他の一部が第１の昇降用ピンに弾接された付勢バネと、
第１の昇降用ピンと第２の昇降用ピンを移動可能に支持しチャッキングプーリーをディスクテーブルに離接する方向へ移動させる移動手段とを備え、
移動手段にディスク状記録媒体のチャッキング時に第１の昇降用ピンを作用位置に保持する保持部を形成し、
作用位置に保持された第１の昇降用ピンによって付勢バネを弾性変形させて支持アーム及び押さえ部材をディスクテーブルに接近する方向へ付勢するようにした
ことを特徴とするディスクドライブ装置。
【請求項４】
筐体に取り付けられたスピンドルモーターのモーター軸に固定されスピンドルモーターの回転に伴って回転されると共に中心部に位置決め突部が設けられたディスクテーブルと、ディスクテーブルとともにディスク状記録媒体を挟持してチャッキングしディスクテーブルの位置決め突部が挿入される位置決め筒を有するチャッキングプーリーとを備え、ディスクテーブルとチャッキングプーリーによってチャッキングされたディスク状記録媒体に対して情報信号の記録又は再生を行うディスクドライブ装置であって、
チャッキングプーリーの軸方向と直交する方向に延び該チャッキングプーリーを回転自在に支持する支持アームと、
支持アームを移動可能に支持しチャッキングプーリーをディスクテーブルに離接する方向へ移動させる移動手段とを備え、
支持アームに被規制部を設け、
上記筐体に、被規制部を規制して支持アームのチャッキングプーリーの軸方向に直交し、かつ、支持アームの長手方向に直交する方向への移動を規制する規制部を設けた
ことを特徴とするディスクドライブ装置。
【発明の詳細な説明】
【技術分野】
【０００１】
本発明はディスクチャッキング機構及びディスクドライブ装置に関する。詳しくは、各部の位置精度の向上による薄型化を図る技術分野に関する。
【背景技術】
【０００２】
光ディスクや光磁気ディスク等のディスク状記録媒体に対して情報信号の記録や再生を行うことができるディスクドライブ装置があり、このようなディスクドライブ装置には、ディスク状記録媒体が装着されるディスクテーブルと該ディスクテーブルとともにディスク状記録媒体を挟持してチャッキングするチャッキングプーリーとを有するディスクチャッキング機構が設けられているタイプがある（例えば、特許文献１及び特許文献２参照）。
【０００３】
ディスクドライブ装置にあっては、ディスクテーブルとチャッキングプーリーとによってチャッキングされたディスク状記録媒体がディスクテーブルの回転に伴って回転されると、ディスク状記録媒体の半径方向へ移動される光ピックアップからレーザー光が出射されてディスク状記録媒体に対する情報信号の記録又は再生が行われる。
【０００４】
図２３及び図２４に従来のディスクチャッキング機構の一例を示す。
【０００５】
ディスクチャッキング機構ａはディスクテーブルｂとチャッキングプーリーｃとを有している。
【０００６】
ディスクテーブルｂは図示しないスピンドルモーターのモーター軸ｄに固定され、ディスクテーブルｂの中心部には上方へ突出された位置決め突部ｅが設けられている。位置決め突部ｅは、例えば、モーター軸ｄの上端部がディスクテーブルｂから上方へ突出されることにより設けられている。
【０００７】
スピンドルモーターはベース体ｆに配置されている。
【０００８】
チャッキングプーリーｃは軸部ｇと該軸部ｇの上下両端部にそれぞれ設けられたフランジ部ｈ及び押さえ部ｉとを有し、フランジ部ｈと押さえ部ｉがそれぞれ軸部ｇから外方へ張り出されている。
【０００９】
チャッキングプーリーｃには下方に開口された凹部が形成され、該凹部に下方へ突出された位置決め筒ｊが設けられている。位置決め筒ｊには、その下端部に上方へ行くに従って径が小さくなる被案内孔ｋと、該被案内孔ｋの上端に連続し上下に延びる挿入孔ｌとが形成されている。
【００１０】
チャッキングプーリーｃの上面の中心部には上方へ突出された回転摺動突起ｍが設けられている。
【００１１】
チャッキングプーリーｃは水平方向に長い支持アームｎの一端部に形成された支持孔ｏに回転自在に支持されている。チャッキングプーリーｃは軸部ｇが支持孔ｏに挿入され、フランジ部ｈによって支持アームｎからの脱落が防止されている。
【００１２】
支持アームｎの他端部には水平方向に離隔して側方へ突出された昇降用ピンｐ、ｐが設けられている。支持アームｎには押さえバネｑが取り付けられ、該押さえバネｑによってチャッキングプーリーｃの回転摺動突起ｍが下方へ押さえられている。
【００１３】
支持アームｎの昇降用ピンｐ、ｐはカム板ｒのカム孔ｓ、ｓにそれぞれ摺動自在に係合されている。カム孔ｓは上側から順に形成された上側水平部ｔと傾斜部ｕと下側水平部ｖとから成る。カム板ｒは水平方向へ移動可能とされている。
【００１４】
支持アームｎの昇降用ピンｐ、ｐは図示しないガイド手段に形成された上下に長いガイド孔に摺動自在に係合されている。
【００１５】
ディスクチャッキング機構ａにおいて、ディスク状記録媒体ｗが載置されたディスクトレイｘが水平方向へ移動され、その挿通孔ｙがディスクテーブルｂの上方に位置されるとディスクトレイｘの移動が停止される。
【００１６】
次いで、ディスクトレイｘが下方へ移動され、又は、ディスクテーブルｂが上方へ移動されて、ディスクテーブルｂにディスク状記録媒体ｗが載置される。ディスクトレイｘはディスク状記録媒体ｗの下方に離隔される。
【００１７】
次に、カム板ｒが水平方向へ移動され、支持アームｎの昇降用ピンｐ、ｐがカム孔ｓの上側水平部ｔから傾斜部ｕを経て下側水平部ｖまで相対的に移動される。従って、支持アームｎは下方へ移動され、これに伴いチャッキングプーリーｃが下方へ移動される。チャッキングプーリーｃは押さえバネｑによって押さえ部ｉがディスク状記録媒体ｗに押し付けられ、ディスク状記録媒体ｗがディスクテーブルｂとチャッキングプーリーｃによって狭持されてチャッキングされる。
【００１８】
チャッキングプーリーｃが下方へ移動されるときには、ディスクテーブルｂの位置決め突部ｅがチャッキングプーリーｃの位置決め筒ｊの被案内孔ｋに摺接され、挿入孔ｌに挿入される。従って、ディスクテーブルｂとチャッキングプーリーｃの中心が上下方向において一致され、ディスクテーブルｂに対するチャッキングプーリーｃの位置決めが行われる。
【００１９】
チャッキングされたディスク状記録媒体ｗはスピンドルモーターによって回転されるディスクテーブルｂに伴ってチャッキングプーリーｃと一体となって回転される。チャッキングプーリーｃは回転摺動突起ｍが押さえバネｑに押さえられ、軸部ｇ、フランジ部ｈ及び押さえ部ｉがそれぞれ支持アームｎと一定の間隔を有した状態で回転される。また、ディスクテーブルｂ及びディスク状記録媒体ｗも他の部分との接触がない状態で回転される。
【００２０】
このようにディスクテーブルｂ、チャッキングプーリーｃ及びディスク状記録媒体ｗが他の部分との接触がない状態で回転されることにより、接触によるディスク状記録媒体ｗに対する振動が防止され、光ピックアップの良好なフォーカスサーボ及びトラッキングサーボが確保され、ディスク状記録媒体ｗに対する情報信号の記録エラー及び読取エラーの発生が防止される。
【００２１】
【特許文献１】特開平６―１８０９１３号公報
【００２２】
【特許文献２】特開平９―２６５７０５号公報
【発明の開示】
【発明が解決しようとする課題】
【００２３】
ところが、上記した従来のディスクチャッキング機構ａにあっては、押さえバネｑによってチャッキングプーリーｃをディスク状記録媒体ｗに押し付けているため支持アームｎの位置精度が悪いという問題がある。
【００２４】
以下に、この位置精度について説明する（図２５参照）。尚、図２５には、支持アームｎの精度を説明するために、支持アームｎを誇張して傾斜させた状態で示している。
【００２５】
昇降用ピンｐ、ｐ、カム板ｒのカム孔ｓ、ｓは、それぞれその位置精度にバラツキを有しており、チャッキングプーリーｃに遠い側の昇降用ピンｐとこれが係合されているカム孔ｓの上下方向の精度の和をＰ１とし、チャッキングプーリーｃに近い側の昇降用ピンｐとこれが係合されているカム孔ｓの上下方向の精度の和をＰ２とし、昇降用ピンｐ、ｐ間の距離をＬ１、チャッキングプーリーｃに遠い側の昇降用ピンｐとチャッキングプーリーｃの中心との距離をＬ２とする。
【００２６】
このとき、ディスクチャッキング機構ａにあっては、押さえバネｑが用いられ該押さえバネｑの付勢力の変動により支持アームｎの位置が上下するため、チャッキングプーリーｃ側の部分が支持アームｎの上下方向における位置精度の基準とはならない。従って、チャッキングプーリーｃの中心位置における支持アームｎの高さ精度Ｈ２は、昇降用ピンｐ、ｐの精度の和Ｈ１がＨ１＝Ｐ１＋Ｐ２となることより、
Ｈ２＝Ｈ１×Ｌ２／Ｌ１＝（Ｐ１＋Ｐ２）×Ｌ２／Ｌ１・・・（第１式）
となる。
【００２７】
通常、昇降用ピンｐ、ｐは、ディスクチャッキング機構ａの薄型化を図るためにディスク状記録媒体ｗの外周部より外側に配置され、また、昇降用ピンｐ、ｐ間の距離Ｌ１は、ディスクチャッキング機構ａの外形の小型化を図るために可能な限り小さく設定される。従って、Ｌ２／Ｌ１は数倍となる場合が多く、精度の和Ｈ１に対してＨ２も数倍となり、支持アームｎの先端側の位置精度は非常に悪くなる。
【００２８】
このように支持アームｎの先端側、即ち、チャッキングプーリーｃを支持する側の位置精度が悪いため、チャッキングプーリーｃの回転時の他の部分との接触を回避するために、軸部ｇの軸方向における長さを長くする必要があり、その分、ディスクチャッキング機構ａの薄型化に支障を来たすという問題がある。
【００２９】
次に、支持アームｎの角度精度について説明する。
【００３０】
図２５に示すように、支持アームｎが水平面に対して傾いていた場合に、支持アームｎの水平面に対する角度をθｃとすると、Ｔａｎθｃ＝Ｈ１／Ｌ１となる。ここで、チャッキングプーリーｃについて、その直径をＤｐとすると、チャッキングプーリーｃの中心位置における変位量Δｈは、
Δｈ＝Ｄｐ／２・Ｔａｎθｃ＝Ｈ１×Ｄｐ／２Ｌ１＝（Ｐ１＋Ｐ２）×Ｄｐ／２Ｌ１・・・（第２式）
となる。
【００３１】
このように、ディスク状記録媒体ｗがチャッキングされた状態において支持アームｎが水平方向に対して傾斜していると、支持アームｎとチャッキングプーリーｃの一部とが接触するおそれがあり、接触の防止を図るためにΔｈを考慮して軸部ｇを軸方向に長くする必要がある。従って、ディスク状記録媒体ｗがチャッキングされていない状態において、軸部ｇを軸方向に長くする分、支持アームｎに対してチャッキングプーリーｃが自由に移動できる自由度が大きくなり、その分、ディスクチャッキング機構ａの薄型化に支障を来たすという問題がある。
【００３２】
また、チャッキングプーリーｃのフランジ部ｈと支持アームｎとの間の距離Ｃ１（図２６参照）及びチャッキングプーリーｃの押さえ部ｉと支持アームｎとの間の距離Ｃ２（図２６参照）は、チャッキングプーリーｃの回転時の支持アームｎとの接触を回避するために一定量が必要であり、これらの距離Ｃ１、Ｃ２を確保しつつディスクチャッキング機構ａの薄型化を図るためには支持アームｎの厚みを薄くすることが望ましい。
【００３３】
しかしながら支持アームｎの一定以上の剛性の確保等の理由により、支持アームｎの薄型化には限界があり、結果として、距離Ｃ１、Ｃ２を確保するために軸部ｇの軸方向における長さを長くせざるを得ず、チャッキングプーリーｃの厚みが厚くなる他、チャッキングプーリーｃの上下方向における移動量も大きくなり、ディスクチャッキング機構ａの薄型化に支障を来たすこととなっていた。
【００３４】
次に、支持アームｎの支持孔ｏの大きさとディスクチャッキング機構ａの厚みとの関係について説明する（図２６参照）。
【００３５】
ディスクテーブルｂとチャッキングプーリーｃは回転による振動を低減させるため、これらの中心を正確に一致させる必要がある。従って、ディスクチャッキング機構ａにおいては、ディスクテーブルｂに設けられた位置決め突部ｅをチャッキングプーリーｃの位置決め筒ｊに挿入してディスクテーブルｂの中心とチャッキングプーリーｃの中心とを正確に一致させている。
【００３６】
このとき、チャッキングプーリーｃは支持アームｎの支持孔ｏ内において自由に移動可能な状態であるため、位置決め筒ｊに被案内孔ｋを形成し、チャッキングプーリーｃが下方へ移動されるときに位置決め突部ｅを被案内孔ｋによって案内して挿入孔ｌに確実に挿入させるようにしている。
【００３７】
位置決め突部ｅは被案内孔ｋの下端の直径（呼び込み範囲）Ｄθの範囲にあれば、挿入孔ｌに挿入可能とされる。このとき、被案内孔ｋの上下方向における長さＨｃを一定とすると、被案内孔ｋの呼び込み角度θを小さくしていけば呼び込み範囲Ｄθを大きくすることができるが、呼び込み角度θを小さくすると位置決め突部ｅの被案内孔ｋに対する摺動性が悪くなるため、呼び込み角度θの取り得る値は限られている。
【００３８】
従って、位置決め突部ｅを挿入孔ｌに確実に挿入するためには、呼び込み角度θを一定にして呼び込み範囲Ｄθを大きくすることが必要となるが、呼び込み範囲Ｄθを大きくする分、被案内孔ｋの上下方向における長さＨｃが長くなり、ディスクチャッキング機構ａの厚みが増してしまうという不具合が生じる。
【００３９】
呼び込み範囲Ｄθは支持アームｎの支持孔ｏに対するチャッキングプーリーｃの軸部ｇの外径の大きさに依存する。例えば、支持孔ｏに対して軸部ｇの外径が小さい場合には、支持孔ｏ内において軸部ｇが自由に移動できる範囲が大きいため、呼び込み範囲Ｄθは大きくなり、逆に、支持孔ｏに対して軸部ｇの径が大きい場合には、支持孔ｏ内において軸部ｇが自由に移動できる範囲が小さいため、呼び込み範囲Ｄθは小さくなる。
【００４０】
しかしながら、チャッキングプーリーｃの回転中の支持アームｎとチャッキングプーリーｃとの接触を回避するためには、支持孔ｏに対して軸部ｇの径を一定以下の大きさにする必要があり、呼び込み範囲Ｄθは一定以上の大きさが必要となり被案内孔ｋの上下方向における長さＨｃも長くなる。
【００４１】
また、呼び込み範囲Ｄθは、支持アームｎの位置精度にも依存する。例えば、支持アームｎが上下方向へ移動されるときに、支持アームｎが支持孔ｏの径方向にずれてしまうと、その分、ディスクテーブルｂの中心に対するチャッキングプーリーｃの中心がずれてしまい、呼び込み範囲Ｄθを大きくする必要がある。
【００４２】
従って、呼び込み範囲Ｄθを大きくする分、上記のように、被案内孔ｋの上下方向における長さＨｃが長くなり、ディスクチャッキング機構ａの厚みが増してしまう。
【００４３】
そこで、本発明ディスクチャッキング機構及びディスクドライブ装置は、上記した問題点を克服し、各部の位置精度の向上による薄型化を図ることを課題とする。
【課題を解決するための手段】
【００４４】
本発明ディスクチャッキング機構は、上記した課題を解決するために、スピンドルモーターのモーター軸に固定されスピンドルモーターの回転に伴って回転されるディスクテーブルと、ディスクテーブルとともにディスク状記録媒体を挟持してチャッキングしディスクテーブルの反対側に突出された回転摺動突起を有するチャッキングプーリーと、チャッキングプーリーの軸方向と直交する方向に延び長手方向における一端部にチャキングプーリーを回転自在に支持する支持アームと、支持アームの他端部において上記長手方向に離隔して設けられた第１の昇降用ピン及び第２の昇降用ピンと、支持アームに固定されると共にディスク状記録媒体の回転時にチャッキングプーリーの回転摺動突起の先端が接触されチャッキングプーリーをディスクテーブル側へ押さえる押さえ部材と、一部が支持アームに取り付けられ他の一部が第１の昇降用ピンに弾接された付勢バネと、第１の昇降用ピンと第２の昇降用ピンを移動可能に支持しチャッキングプーリーをディスクテーブルに離接する方向へ移動させる移動手段とを設け、移動手段にディスク状記録媒体のチャッキング時に第１の昇降用ピンを作用位置に保持する保持部を形成し、作用位置に保持された第１の昇降用ピンによって付勢バネを弾性変形させて支持アーム及び押さえ部材をディスクテーブルに接近する方向へ付勢するようにしたものである。
【００４５】
従って、本発明ディスクチャッキング機構にあっては、ディスク状記録媒体がチャッキングされた状態において、支持アーム及び押さえ部材が付勢バネによってディスクテーブル側へ付勢される。
【００４６】
別の本発明ディスクチャッキング機構は、上記した課題を解決するために、筐体に取り付けられたスピンドルモーターのモーター軸に固定されスピンドルモーターの回転に伴って回転されると共に中心部に位置決め突部が設けられたディスクテーブルと、ディスクテーブルとともにディスク状記録媒体を挟持してチャッキングしディスクテーブルの位置決め突部が挿入される位置決め筒を有するチャッキングプーリーと、チャッキングプーリーの軸方向と直交する方向に延び該チャッキングプーリーを回転自在に支持する支持アームと、支持アームを移動可能に支持しチャッキングプーリーをディスクテーブルに離接する方向へ移動させる移動手段とを設け、支持アームに被規制部を設け、上記筐体に、被規制部を規制して支持アームのチャッキングプーリーの軸方向に直交し、かつ、支持アームの長手方向に直交する方向への移動を規制する規制部を設けたものである。
【００４７】
従って、本発明ディスクチャッキング機構にあっては、チャッキングプーリーのディスクテーブルに離接する方向への移動時に、チャッキングプーリーの軸方向に直交し、かつ、支持アームの長手方向に直交する方向への移動量が低減する。
【００４８】
本発明ディスクドライブ装置は、上記した課題を解決するために、チャッキングプーリーの軸方向と直交する方向に延び長手方向における一端部にチャキングプーリーを回転自在に支持する支持アームと、支持アームの他端部において上記長手方向に離隔して設けられた第１の昇降用ピン及び第２の昇降用ピンと、支持アームに固定されると共にディスク状記録媒体の回転時にチャッキングプーリーの回転摺動突起の先端が接触されチャッキングプーリーをディスクテーブル側へ押さえる押さえ部材と、一部が支持アームに取り付けられ他の一部が第１の昇降用ピンに弾接された付勢バネと、第１の昇降用ピンと第２の昇降用ピンを移動可能に支持しチャッキングプーリーをディスクテーブルに離接する方向へ移動させる移動手段とを設け、移動手段にディスク状記録媒体のチャッキング時に第１の昇降用ピンを作用位置に保持する保持部を形成し、作用位置に保持された第１の昇降用ピンによって付勢バネを弾性変形させて支持アーム及び押さえ部材をディスクテーブルに接近する方向へ付勢するようにしたものである。
【００４９】
従って、本発明ディスクドライブ装置にあっては、ディスク状記録媒体がチャッキングされた状態において、支持アーム及び押さえ部材が付勢バネによってディスクテーブル側へ付勢される。
【００５０】
別の本発明ディスクドライブ装置は、上記した課題を解決するために、チャッキングプーリーの軸方向と直交する方向に延び該チャッキングプーリーを回転自在に支持する支持アームと、支持アームを移動可能に支持しチャッキングプーリーをディスクテーブルに離接する方向へ移動させる移動手段とを設け、支持アームに被規制部を設け、ディスクテーブルが配置された筐体に、被規制部を規制して支持アームのチャッキングプーリーの軸方向に直交し、かつ、支持アームの長手方向に直交する方向への移動を規制する規制部を設けたものである。
【００５１】
従って、本発明ディスクドライブ装置にあっては、チャッキングプーリーのディスクテーブルに離接する方向への移動時に、チャッキングプーリーの軸方向に直交し、かつ、支持アームの長手方向に直交する方向への移動量が低減する。
【発明の効果】
【００５２】
本発明ディスクチャッキング機構は、スピンドルモーターのモーター軸に固定されスピンドルモーターの回転に伴って回転されるディスクテーブルと、ディスクテーブルとともにディスク状記録媒体を挟持してチャッキングしディスクテーブルの反対側に突出された回転摺動突起を有するチャッキングプーリーと、チャッキングプーリーの軸方向と直交する方向に延び長手方向における一端部にチャキングプーリーを回転自在に支持する支持アームと、支持アームの他端部において上記長手方向に離隔して設けられた第１の昇降用ピン及び第２の昇降用ピンと、支持アームに固定されると共にディスク状記録媒体の回転時にチャッキングプーリーの回転摺動突起の先端が接触されチャッキングプーリーをディスクテーブル側へ押さえる押さえ部材と、一部が支持アームに取り付けられ他の一部が第１の昇降用ピンに弾接された付勢バネと、第１の昇降用ピンと第２の昇降用ピンを移動可能に支持しチャッキングプーリーをディスクテーブルに離接する方向へ移動させる移動手段とを備え、移動手段にディスク状記録媒体のチャッキング時に第１の昇降用ピンを作用位置に保持する保持部を形成し、作用位置に保持された第１の昇降用ピンによって付勢バネを弾性変形させて支持アーム及び押さえ部材をディスクテーブルに接近する方向へ付勢するようにしたことを特徴とする。
【００５３】
従って、支持アームの位置精度の向上が図られ、ディスクチャッキング機構の薄型化を図ることができる。
【００５４】
別の本発明ディスクチャッキング機構は、筐体に取り付けられたスピンドルモーターのモーター軸に固定されスピンドルモーターの回転に伴って回転されると共に中心部に位置決め突部が設けられたディスクテーブルと、ディスクテーブルとともにディスク状記録媒体を挟持してチャッキングしディスクテーブルの位置決め突部が挿入される位置決め筒を有するチャッキングプーリーと、チャッキングプーリーの軸方向と直交する方向に延び該チャッキングプーリーを回転自在に支持する支持アームと、支持アームを移動可能に支持しチャッキングプーリーをディスクテーブルに離接する方向へ移動させる移動手段とを備え、支持アームに被規制部を設け、上記筐体に、被規制部を規制して支持アームのチャッキングプーリーの軸方向に直交し、かつ、支持アームの長手方向に直交する方向への移動を規制する規制部を設けたことを特徴とする。
【００５５】
従って、ディスクテーブルの位置決め突部がチャッキングプーリーの位置決め筒に挿入されるときのディスクテーブルの中心とチャッキングプーリーの中心との位置ズレが低減されるため、チャッキングプーリーの位置決め筒の開口径を小さくすることにより位置決め筒の長さを短くすることができ、その分、ディスクチャッキング機構の薄型化を図ることができる。
【００５６】
本発明ディスクドライブ装置は、スピンドルモーターのモーター軸に固定されスピンドルモーターの回転に伴って回転されるディスクテーブルと、ディスクテーブルとともにディスク状記録媒体を挟持してチャッキングしディスクテーブルの反対側に突出された回転摺動突起を有するチャッキングプーリーとを備え、ディスクテーブルとチャッキングプーリーによってチャッキングされたディスク状記録媒体に対して情報信号の記録又は再生を行うディスクドライブ装置であって、チャッキングプーリーの軸方向と直交する方向に延び長手方向における一端部にチャキングプーリーを回転自在に支持する支持アームと、支持アームの他端部において上記長手方向に離隔して設けられた第１の昇降用ピン及び第２の昇降用ピンと、支持アームに固定されると共にディスク状記録媒体の回転時にチャッキングプーリーの回転摺動突起の先端が接触されチャッキングプーリーをディスクテーブル側へ押さえる押さえ部材と、一部が支持アームに取り付けられ他の一部が第１の昇降用ピンに弾接された付勢バネと、第１の昇降用ピンと第２の昇降用ピンを移動可能に支持しチャッキングプーリーをディスクテーブルに離接する方向へ移動させる移動手段とを備え、移動手段にディスク状記録媒体のチャッキング時に第１の昇降用ピンを作用位置に保持する保持部を形成し、作用位置に保持された第１の昇降用ピンによって付勢バネを弾性変形させて支持アーム及び押さえ部材をディスクテーブルに接近する方向へ付勢するようにしたことを特徴とする。
【００５７】
従って、支持アームの位置精度の向上が図られ、ディスクドライブ装置の薄型化を図ることができる。
【００５８】
別の本発明ディスクドライブ装置は、筐体に取り付けられたスピンドルモーターのモーター軸に固定されスピンドルモーターの回転に伴って回転されると共に中心部に位置決め突部が設けられたディスクテーブルと、ディスクテーブルとともにディスク状記録媒体を挟持してチャッキングしディスクテーブルの位置決め突部が挿入される位置決め筒を有するチャッキングプーリーとを備え、ディスクテーブルとチャッキングプーリーによってチャッキングされたディスク状記録媒体に対して情報信号の記録又は再生を行うディスクドライブ装置であって、チャッキングプーリーの軸方向と直交する方向に延び該チャッキングプーリーを回転自在に支持する支持アームと、支持アームを移動可能に支持しチャッキングプーリーをディスクテーブルに離接する方向へ移動させる移動手段とを備え、支持アームに被規制部を設け、上記筐体に、被規制部を規制して支持アームのチャッキングプーリーの軸方向に直交し、かつ、支持アームの長手方向に直交する方向への移動を規制する規制部を設けたことを特徴とする。
【００５９】
従って、ディスクテーブルの位置決め突部がチャッキングプーリーの位置決め筒に挿入されるときのディスクテーブルの中心とチャッキングプーリーの中心との位置ズレが低減されるため、チャッキングプーリーの位置決め筒の開口径を小さくすることにより位置決め筒の長さを短くすることができ、その分、ディスクドライブ装置の薄型化を図ることができる。
【発明を実施するための最良の形態】
【００６０】
以下に、本発明を実施するための最良の形態を添付図面に従って説明する。
【００６１】
ディスクドライブ装置１はディスク状記録媒体に対して情報信号の記録や再生を行う装置であり、カバー２とベース体３と該ベース体３に配置された所要の各部材及び各機構によって構成されている（図１及び図２参照）。
【００６２】
カバー２はガラスや樹脂等の透明材料によって形成され、下方に開口された一方向に長い略蒲鉾状に形成されている。カバー２は横断面形状で略円弧状を為す覆い部２ａと該覆い部２ａの長手方向における両端部に設けられた側面部２ｂ、２ｂとが一体に形成されて成る。
【００６３】
尚、以下の説明にあっては、カバー２の長手方向を前後方向とし、これに直交する方向をそれぞれ上下方向及び左右方向とする。
【００６４】
ベース体３は、図１及び図２に示すように、ベースパネル４と該ベースパネル４の下側に位置するボトムパネル５とが結合されて成り、該ボトムパネル５は上方に開口された前後方向に長い箱状に形成されている。
【００６５】
ベースパネル４の右側縁には、長手方向に離隔して複数の操作釦６、６、・・・が配置されている。操作釦６、６、・・・としては、例えば、電源のオン・オフを行うための電源釦、カバー２の開閉動作を行うためのオープン釦及びクローズ釦、ディスク状記録媒体に記録された情報信号の再生を行うためのプレイ釦、再生状態を一時停止するための一時停止釦、再生動作を停止するためのストップ釦、音量の変更を行うためのボリューム釦等が設けられている。
【００６６】
ベースパネル４の長手方向における前端側には記録媒体載置部７が設けられている。
【００６７】
記録媒体載置部７は平面で見て円形状を為す浅い凹状に形成され、底面がディスク載置面７ａとして形成されている。ディスク載置面７ａは、緩やかな凹曲面、例えば、球面に形成されている。
【００６８】
ベース体３の内部には、記録媒体載置部７のディスク載置面７ａに載置されたディスク状記録媒体を検出する図示しない検出手段が設けられている。
【００６９】
ベース体３のベースパネル４の上面には、平行な２つのガイド部材８、８が設けられている（図１参照）。ガイド部材８、８は、ベースパネル４の後端側に設けられ、ベースパネル４の長手方向に長く形成されている。ガイド部材８、８の互いに対向する面には、それぞれ前後に延びる図示しないガイド溝が形成されている。
【００７０】
ガイド部材８、８間の空間は、その記録媒体載置部７側の略半部がユニット収容部８ａとして形成されている。ユニット収容部８ａにはベースユニット９が収容可能とされている。ガイド部材８、８間には、ユニット収容部８ａを挟んで記録媒体載置部７の反対側にベースユニット９の動作制御を行うためのコントロール基板１０が配置されている。
【００７１】
ベースユニット９及びコントロール基板１０はその下方に位置された配置ベース１１上に配置されている。配置ベース１１は前後方向に長く形成され、左右両側面にそれぞれ側方へ突出された図示しない被ガイドピンが設けられている。配置ベース１１は、被ガイドピンがガイド部材８、８のガイド溝に摺動自在に係合され、ガイド部材８、８に案内されて前後方向へ移動可能とされている。配置ベース１１の右側面には図示しないラック部が形成されている。
【００７２】
ベースパネル４には、右側に位置するガイド部材８の右方にユニット駆動部１２が配置されている。ユニット駆動部１２は駆動用モーター１２ａと該駆動用モーター１２ａの駆動力が伝達されて回転される図示しない減速ギヤ群とを有し、該減速ギヤ群の最終段のギヤが配置ベース１１のラック部に噛合されている。従って、駆動用モーター１２ａが回転されると、その駆動力が減速ギヤ群を介して配置ベース１１のラック部に伝達され、駆動用モーター１２ａの回転方向に応じた方向へ配置ベース１１とベースユニット９とコントロール基板１０とが一体となって前後方向へ移動される。
【００７３】
ベースパネル４には、ユニット駆動部１２の後側に表示駆動部１３が配置されている。表示駆動部１３は制御用回路基板１３ａと各部の動作状態等が表示される表示部１３ｂとを有している。
【００７４】
ベースパネル４には、左側に位置するガイド部材８の左方にカバー駆動部１４が配置されている。カバー駆動部１４は移動用モーター１５と該移動用モーター１５の駆動力が伝達されて回転される減速ギヤ群１６、１６とを有し、該減速ギヤ群１６、１６は移動用モーター１５を挟んで前後に設けられている。
【００７５】
移動用モーター１５と減速ギヤ群１６、１６にはそれぞれ図示しないプーリーが設けられ、移動用モーター１５のプーリーと減速ギヤ群１６、１６のプーリーとがそれぞれベルト１７、１７によって連結されている。従って、移動用モーター１５が回転されると、その駆動力がベルト１７、１７を介して減速ギヤ群１６、１６に伝達され、該減速ギヤ群１６、１６が移動用モーター１５の回転方向に応じた同じ方向へ同期して回転される。
【００７６】
ベースパネル４上にはギヤ体１８、１８、・・・が回転自在に支持されている。ギヤ体１８、１８、・・・はベースパネル４の左右両端部にそれぞれ２つずつが設けられ、上側に位置するローラー部１８ａ、１８ａ、・・・と下側に位置するギヤ部１８ｂ、１８ｂ、・・・とを有している。左側に位置するギヤ体１８、１８は、ギヤ部１８ｂ、１８ｂがそれぞれ減速ギヤ群１６、１６の最終段のギヤと噛合されている。
【００７７】
ギヤ体１８、１８、・・・は、カバー２がベースパネル４に取り付けられた状態において、ローラー部１８ａ、１８ａ、・・・がカバー２の覆い部２ａの両側の下端部内面に圧着される。従って、移動用モーター１５の駆動力が減速ギヤ群１６、１６を介して左側に位置するギヤ体１８、１８に伝達されると、カバー２が移動用モーター１５の回転方向に応じた方向へ移動される。
【００７８】
カバー２の内部にはインナーカバー１９が配置される。インナーカバー１９は樹脂等の不透明な材料によって形成され、下方に開口された前後方向に長い略蒲鉾状に形成されている。インナーカバー１９は横断面形状で円弧状を為す閉塞部１９ａと該閉塞部１９ａの長手方向における両端部に設けられた側壁部１９ｂ、１９ｂとが一体に形成されて成る。閉塞部１９ａの後端部には透孔１９ｃが形成され、閉塞部１９ａの下端部には前後に離隔してそれぞれ左右に２つずつの配置用切欠１９ｄ、１９ｄ、・・・が形成されている。前側の側壁部１９ｂには下方に開口された切欠が形成され、該切欠が挿脱口１９ｅとして形成されている。
【００７９】
インナーカバー１９はガイド部材８、８、ベースユニット９、コントロール基板１０、配置ベース１１、ユニット駆動部１２、表示駆動部１３及びカバー駆動部１４を閉塞するようにベースパネル４に取り付けられる。インナーカバー１９がベースパネル４に取り付けられた状態においては、透孔１９ｃに対応して表示駆動部１３の表示部１３ｂが位置され、外部から表示部１３ｂの表示が視認可能とされる。インナーカバー１９がベースパネル４に取り付けられた状態においては、配置用切欠１９ｄ、１９ｄ、・・・がそれぞれギヤ体１８、１８、・・・に対応して位置され、ギヤ体１８、１８、・・・の一部がインナーカバー１９から外方へ突出される。ベースユニット９はインナーカバー１９の挿脱口１９ｅを通って前方へ移動可能とされる。
【００８０】
ベースパネル４には、それぞれ回転体２０、２０、２０が回転自在に支持されている。回転体２０、２０、２０はディスク状記録媒体をセンターリングする機能を有すると共にディスク状記録媒体を昇降させる機能をも有する。
【００８１】
回転体２０は略円柱状に形成され、上面２０ａはベースパネル４のディスク載置面７ａに対応した緩やかな曲面に形成されている。回転体２０の上面２０ａの一端部には、上方へ突出されたディスクセンターリング部２１が設けられ、該ディスクセンターリング部２１はベースパネル４のディスク載置面７ａの直ぐ外側に対応して位置されている。
【００８２】
ベースパネル４のベースパネル４の下面には、図示しないカム部材が回転自在に支持され、該カム部材の回転に伴って回転体２０、２０、２０が回転かつ上下へ移動される。
【００８３】
ベースユニット９は筐体２２に所要の各部が配置又は支持されて成り、筐体２２はアッパーケース２３とロアーケース２４とが上下で結合されて成る（図１及び図３参照）。
【００８４】
アッパーケース２３は下方に開口された前後方向に長い略矩形の箱状に形成され、天板部２３ａと該天板部２３ａの周縁から下方へ突出された周面部２３ｂと該周面部２３ｂからさらに下方へ突出された突出部２３ｃとが一体に形成されて成り、該突出部２３ｃは後端側に設けられている。従って、アッパーケース２３には、突出部２３ｃが設けられていない部分に突出部２３ｃの高さ分の切欠２３ｄが形成されている。
【００８５】
アッパーケース２３の天板部２３ａの下面からは下方へ向けて規制ピン２５が突出されている。規制ピン２５は後述する支持アームの左右方向への移動を規制する規制部として機能する。
【００８６】
ロアーケース２４は前後方向に長い略矩形の浅い箱状に形成され（図３及び図４参照）、底壁部２４ａと該底壁部２４ａの周縁から上方へ突出された周壁部２４ｂとが一体に形成されて成り、上方に開口されている。
【００８７】
ロアーケース２４内には、その前端部にスピンドルモーター２６が配置されている（図３乃至図５参照）。スピンドルモーター２６はローター部２６ａとステーター部２６ｂとを有している。ローター部２６ａはローターケース２６ｃの内周面にマグネット２６ｄが取り付けられて成る。ステーター部２６ｂは、周方向に離隔して配置された複数のステーターコイル２６ｅ、２６ｅ、・・・と、該ステーターコイル２６ｅ、２６ｅ、・・・が配置されたステーター基板２６ｆとを有している。
【００８８】
ロアーケース２４内には光ピックアップ２７がロアーケース２４の長手方向に移動可能に支持され（図３及び図４参照）、光ピックアップ２７の移動ベース２７ａの左右両端部にそれぞれ被案内部２７ｂ、２７ｃが設けられている。
【００８９】
ロアーケース２４内にはステッピングモーター２８と該ステッピングモーター２８によって回転されるリードスクリュー２９とが配置されている。
【００９０】
光ピックアップ２７の一方の被案内部２７ｂは、後述する組付板の一部に摺動自在に係合される。光ピックアップ２７の他方の被案内部２７ｃにはリードスクリュー２９が貫通された状態で被案内部２７ｃの内面に形成された図示しない螺溝に螺合されている。光ピックアップ２７は、ステッピングモーター２８が回転されると、その回転方向に応じた方向へ移動ベース２７ａが送られて前後方向へ移動される。
【００９１】
ロアーケース２４の底壁部２４ａの後端寄りの位置には、上方へ突出された受け筒部３０が設けられている。
【００９２】
アッパーケース２３とロアーケース２４は、例えば、ネジ止めによって突出部２３ｃの下面と周壁部２４ｂの上面とが接した状態で結合され、筐体２２が構成される。筐体２２が構成された状態においては、アッパーケース２３に切欠２３ｄが形成されている分、アッパーケース２３とロアーケース２４との間にディスク状記録媒体１００が挿入される挿入空間２２ａが形成される（図１参照）。
【００９３】
アッパーケース２３の下面には案内部材３１が取り付けられる（図３参照）。案内部材３１は、図６に示すように、平板部３２と該平面部３２の左右両側縁からそれぞれ下方へ突出された側板部３３、３３とが一体に形成されて成る。
【００９４】
平板部３２の下面には下方へ突出されたガイドピン３２ａ、３２ａ、３２ａが設けられている。平板部３２にはギヤ支持軸３４が設けられ、該ギヤ支持軸３４は平板部３２の下面から下方へ突出されている。平板部３２にはピン挿入孔３２ｂが形成されている。
【００９５】
側板部３３、３３にはそれぞれ前後に離隔して２つずつの案内孔３５、３５、・・・が形成され、該案内孔３５、３５、・・・は上下に長くされている。
【００９６】
案内部材３１にはカムスライダー３６が前後方向へ移動自在に支持される（図３参照）。カムスライダー３６は、図７に示すように、平面板部３７と該平面板部３７の左右両側縁からそれぞれ下方へ突出された側面板部３８、３８とが一体に形成されて成る。
【００９７】
平面板部３７には、左右に離隔して第１の逃げ孔３７ａと第２の逃げ孔３７ｂが形成され、第１の逃げ孔３７ａと第２の逃げ孔３７ｂは何れも前後方向に長くされている。平面板部３７の左右両端部には、それぞれガイド孔３７ｃ、３７ｃ、３７ｃが形成されている。ガイド孔３７ｃ、３７ｃ、３７ｃにはそれぞれ案内部材３１のガイドピン３２ａ、３２ａ、３２ａが摺動自在に係合される。
【００９８】
側面板部３８、３８にはそれぞれ前後に離隔して前側カム孔３９、３９と後側カム孔４０、４０が形成されている（図７及び図８参照）。前側カム孔３９は、前後に延びる水平部３９ａと、該水平部３９ａの後端に連続し後方へ行くに従って下方へ傾斜する傾斜部３９ｂと、該傾斜部３９ｂの後端に連続し後方へ行くに従って緩やかに下方へ傾斜する保持部３９ｃとから成る。従って、保持部３９ｃは傾斜部３９ｂより水平部３９ａに対する傾斜角度が小さくされている。後側カム孔４０は、前後に延びる上側水平部４０ａと、該上側水平部４０ａの後端に連続し後方へ行くに従って下方へ変位する傾斜部４０ｂと、該傾斜部４０ｂの後端に連続し前後に延びる下側水平部４０ｃとから成る。
【００９９】
前側カム孔３９、３９の水平部３９ａ、３９ａは後側カム孔４０、４０の上側水平部４０ａ、４０ａより稍上方に位置されている。従って、図８に示すように、水平部３９ａ、３９ａの高さ方向における中線Ｍ１は上側水平部４０ａ、４０ａの高さ方向における中線Ｍ２よりも高い位置にある。
【０１００】
前側カム孔３９、３９の保持部３９ｃ、３９ｃは、上記のように、後方へ行くに従って下方へ変位するように緩やかに傾斜され、その前端部が後側カム孔４０、４０の作用部４０ｃ、４０ｃと同じ位置にある。従って、図８に示すように、保持部３９ｃ、３９ｃの後端部は作用部４０ｃ、４０ｃの高さ方向における中線Ｍ３より低い位置にある。
【０１０１】
カムスライダー３６には、平面板部３７の下面にラック部材４１が取り付けられている（図３及び図７参照）。
【０１０２】
カムスライダー３６及び案内部材３１には支持アーム４２が支持される（図３参照）。カムスライダー３６及び案内部材３１は支持アーム４２を略上下方向へ移動させる移動手段として機能する。
【０１０３】
支持アーム４２は、図９に示すように、前後に長いアーム板４３と、該アーム板４３の後端部の左右両側縁からそれぞれ下方へ突出された側板４４、４４とが一体に形成されて成る。支持アーム４２は剛性の高い、例えば、金属材料によって形成されている。
【０１０４】
アーム板４３の前端部には支持孔４３ａが形成され（図３参照）、後端部にはギヤ配置孔４３ｂが形成されている（図９参照）。アーム板４３のギヤ配置孔４３ｂの近傍の位置には、被規制孔４３ｃが形成されている。被規制孔４３ｃは前後に稍長く形成され、左右方向の幅がアッパーケース２３から下方へ突出された規制ピン２５の外径と略同じに形成されている。アーム板４３の後端寄りの位置には、その左右両側縁にバネ支持孔４３ｄ、４３ｄが形成されている。
【０１０５】
アーム板４３の前後両端部を除いた部分には、補強リブ４３ｅ、４３ｅが設けられている。補強リブ４３ｅ、４３ｅはアーム板４３の左右両側縁に設けられ、アーム板４３の一部が上方側に９０°折り曲げられることにより形成されている。
【０１０６】
側板４４、４４には、それぞれ前後に離隔して外方へ突出された第１の昇降用ピン４５、４５と第２の昇降用ピン４６、４６が設けられている。側板４４、４４間には、前側に位置する第１の昇降用ピン４５、４５間に位置する連結軸部４７が設けられている。従って、連結軸部４７は側板４４、４４の内面間に位置されている。
【０１０７】
側板４４、４４にはそれぞれ上下に長いピン支持孔４４ａ、４４ａが形成されている。ピン支持孔４４ａ、４４ａにはそれぞれ第１の昇降用ピン４５、４５が摺動自在に係合され、第１の昇降用ピン４５、４５は、移動範囲における上端である非作用位置と移動範囲における下端である作用位置との間を移動可能とされている。
【０１０８】
側板４４、４４の上端部にはバネ支持片４４ｂ、４４ｂが設けられている。バネ支持片４４ｂ、４４ｂは側板４４、４４の一部が内側に折り曲げられることにより形成され、バネ支持片４４ｂ、４４ｂとアーム板４３間には所定の間隔が形成されている（図１１参照）。
【０１０９】
支持アーム４２には付勢バネ４８が取り付けられている（図３、図９及び図１１参照）。付勢バネ４８は、左右方向に長い基部４８ａと、該基部４８ａの左右両端部からそれぞれ略後方へ突出された前側変形部４８ｂ、４８ｂと、該前側変形部４８ｂ、４８ｂの後端からそれぞれ略後方へ突出された後側変形部４８ｃ、４８ｃと、該後側変形部４８ｃ、４８ｃの後端部から上方へ突出された被支持部４８ｄ、４８ｄとが一体に形成されて成り、前側変形部４８ｂ、４８ｂと後側変形部４８ｃ、４８ｃとの連結部分が僅かに折り曲げられた弾接部４８ｅ、４８ｅとして設けられている。
【０１１０】
付勢バネ４８は、被支持部４８ｄ、４８ｄがそれぞれアーム板４３のバネ支持孔４３ｄ、４３ｄに挿入され、後側変形部４８ｃ、４８ｃの後端寄りの部分がそれぞれバネ支持片４４ｂ、４４ｂとアーム板４３との間に挿入され、弾接部４８ｅ、４８ｅが連結軸部４７に下方から弾接されて支持アーム４２に取り付けられる。従って、第１の昇降用ピン４５、４５には付勢バネ４８によって上方への付勢力が付与されている。
【０１１１】
支持アーム４２は、図１０に示すように、前側に位置する第１の昇降用ピン４５、４５がそれぞれカムスライダー３６の前側カム孔３９、３９及び案内部材３１の前側の案内孔３５、３５に挿入され、後側に位置する第２の昇降用ピン４６、４６がそれぞれカムスライダー３６の後側カム孔４０、４０及び案内部材３１の後側の案内孔３５、３５に挿入されて支持される。従って、カムスライダー３６が案内部材３１に対して前後方向へ移動されると、第１の昇降用ピン４５、４５と第２の昇降用ピン４６、４６の前側カム孔３９、３９と後側カム孔４０、４０に対する位置により、第１の昇降用ピン４５、４５及び第２の昇降用ピン４６、４６が案内孔３５、３５、・・・に案内され、支持アーム４２が略上下方向へ移動される。
【０１１２】
支持アーム４２の被規制孔４３ｃには案内部材３１のピン挿入孔３２ｂ及びカムスライダー３６の第１の逃げ孔３７ａを挿通された規制ピン２５が挿入される。従って、被規制孔４３ｃは被規制部として機能し、被規制孔４３ｃが規制ピン２５に規制され、支持アーム４２が左右方向へのガタツキがない状態で略上下方向へ移動される。規制ピン２５は、その下端部がロアーケース２４に設けられた受け筒部３０に挿入され、アッパーケース２３とロアーケース２４との位置決めが行われる。
【０１１３】
支持アーム４２にはチャッキングプーリー４９が支持されている（図３、図９、図１０及び図１２参照）。チャッキングプーリー４９は支持板５０と押付部材５１とが上下で結合されて成る。
【０１１４】
支持板５０は略円板状に形成され、外径が支持アーム４２の支持孔４３ａより大きくされている。支持板５０の中心部には突部挿通孔５０ａが形成されている。
【０１１５】
押付部材５１は、図１２に示すように、円形状の被取付部５１ａと該被取付部５１ａの外周縁から斜め下方へ突出された周面部５１ｂと該周面部５１ｂの下縁に連続する円環状を為す押さえ部５１ｃと被取付部５１ａの下面から下方へ突出された円筒状を為す位置決め筒５１ｄとから成る。位置決め筒５１ｄの下側の内周縁には、下方へ行くに従って位置決め筒５１ｄの外周面に近付く方向へ傾斜された被案内孔５１ｅが形成され、該被案内孔５１ｅの上側に連続する部分が挿入孔５１ｆとして形成されている。被取付部５１ａの中心部には上方に突の略半球状を為す回転摺動突起５１ｇが設けられている。
【０１１６】
チャッキングプーリー４９は押付部材５１の被取付部５１ａ及び周面部５１ｂが支持孔４３ａに下方から挿入され被取付部５１ａが支持板５０に取り付けられて支持アーム４２に支持される。押付部材５１が支持板５０に取り付けられた状態においては、支持板５０の突部挿通孔５０ａから回転摺動突起５１ｇが上方へ突出される。チャッキングプーリー４９が支持アーム４２に支持された状態においては、チャッキングプーリー４９は軸回り方向へ回転可能及び軸方向（上下方向）へ移動可能とされる。
【０１１７】
チャッキングプーリー４９が支持アーム４２に支持された状態において、支持板５０を上方から覆うようにして押さえ部材５２がアーム板４３の上面に固定される。押さえ部材５２は剛性の高い、例えば、金属材料によって形成されている。押さえ部材５２は、その外周部がアーム板４３に取り付けられて固定され、外周部以外の部分がアーム板４３から上方に離隔して位置されている。
【０１１８】
支持アーム４２が案内部材３１及びカムスライダー３６に支持された状態においては、案内部材３１のギヤ支持軸３４がカムスライダー３６の第２の逃げ孔３７ｂを挿通されている。ギヤ支持軸３４には２段ギヤである駆動ギヤ５３が支持される（図３参照）。駆動ギヤ５３は支持アーム４２のギヤ配置孔４３ｂに配置され、その小径部５３ａがカムスライダー３６に取り付けられたラック部材４１に噛合される。
【０１１９】
案内部材３１の平板部３２の後端部の下面には駆動ユニット５４が取り付けられる（図３参照）。駆動ユニット５４は、図１０に示すように、取付板５４ａと該取付板５４ａに取り付けられた昇降用モーター５５と取付板５４ａに支持された第１の減速ギヤ５６、第２の減速ギヤ５７とから成る。昇降用モーター５５のモーター軸にはウォーム５５ａが固定され、該ウォーム５５ａに第１の減速ギヤ５６が噛合され該第１の減速ギヤ５６に第２の減速ギヤ５７が噛合されている。
【０１２０】
第２の減速ギヤ５７は駆動ユニット５４が案内部材３１に取り付けられた状態において、駆動ギヤ５３の大径部５３ｂに噛合される。従って、昇降用モーター５５が回転されると、その駆動力が順に第１の減速ギヤ５６、第２の減速ギヤ５７及び駆動ギヤ５３を介してラック部材４１に伝達され、カムスライダー３６が昇降用モーター５５の回転方向に応じた方向（前後方向）へ移動される。
【０１２１】
筐体２２のロアーケース２４には組付板５８が、例えば、ネジ止めによって取り付けられる（図３及び図４参照）。組付板５８の一部には光ピックアップ２７の一方の被案内部２７ｂが摺動自在に係合される。
【０１２２】
筐体２２内に配置されたスピンドルモーター２６のモーター軸２６ａにはディスクテーブル５９が固定されている（図３乃至図５参照）。
【０１２３】
ディスクテーブル５９はテーブル部６０とセンターリング突部６１と圧縮コイルバネ６２とを有している（図５参照）。
【０１２４】
テーブル部６０は外形が円形状に形成された基部６３と該基部６３の外周縁から外方へフランジ状に張り出された載置部６４とから成り、基部６３には上方に開口された配置凹部６３ａが形成されている。基部６３の中央部には上下に貫通された固定孔６３ｂが形成され、基部６３の固定孔６３ｂを挟んだ１８０°反対側の位置にそれぞれ上下に貫通された軸支持孔６３ｃ、６３ｃが形成されている。基部６３には軸支持孔６３ｃ、６３ｃに連続してその下側に規制凹部６３ｄ、６３ｄがそれぞれ形成され、該規制凹部６３ｄ、６３ｄは下方に開口され軸支持孔６３ｃ、６３ｃより開口面積が大きくされている。
【０１２５】
テーブル部６０の固定孔６３ｂにはモーター軸２６ｇが挿通されて固定されている。モーター軸２６ｇは上記スピンドルモーター２６のローターケース２６ｃに圧入されて固定され、ローター部２６ａと一体となって回転される。
【０１２６】
センターリング突部６１は一部がテーブル部６０の配置凹部６３ａに配置された状態とされている。センターリング突部６１の中央部には上下に貫通された被支持孔６１ａが形成され、該被支持孔６１ａにモーター軸２６ｇの上端部が挿入され、センターリング突部６１がモーター軸２６ｇにその軸方向に移動自在に支持されている。センターリング突部６１の周面には、上方側から案内用傾斜面６１ｂとセンターリング用傾斜面６１ｃとが連続して形成され、案内用傾斜面６１ｂはセンターリング用傾斜面６１ｃに対してモーター軸２６ｇの軸方向に対する傾斜角度が大きくされている。
【０１２７】
センターリング突部６１には位置決め突部６１ｄが設けられ、該位置決め突部６１ｄは被支持孔６１ａの周囲に形成されている。位置決め突部６１ｄの上側の外周縁には、上方へ行くに従って内方へ変位するように傾斜された案内縁６１ｅが形成されている。
【０１２８】
センターリング突部６１には被支持孔６１ａを挟んだ互いに１８０°反対側の位置にそれぞれ軸固定孔６１ｆ、６１ｆが形成され、該軸固定孔６１ｆ、６１ｆは上下に貫通されている。
【０１２９】
センターリング突部６１には被支持孔６１ａの周囲に下方に開口されたバネ支持凹部６１ｇが形成されている。
【０１３０】
バネ支持凹部６１ｇには圧縮コイルバネ６２が配置され、該圧縮コイルバネ６２がテーブル部６０とセンターリング突部６１との間で縮設されている。従って、センターリング突部６１は圧縮コイルバネ６２によってテーブル部６０に対して上方へ付勢され、テーブル部６０の配置凹部６０ａの底面とセンターリング突部６１の下面との間に、センターリング突部６１を上下方向へ移動させるための一定の間隔が形成される。
【０１３１】
テーブル部６０の軸支持孔６３ｃ、６３ｃにはそれぞれ抜け止め軸６５、６５が挿入され、該抜け止め軸６５、６５の上端側の部分がセンターリング突部６１の軸固定孔６１ｆ、６１ｆに挿入されて固定されている。抜け止め軸６５、６５は軸支持孔６３ｃ、６３ｃに対しては摺動可能とされている。
【０１３２】
抜け止め軸６５、６５の下端部にはそれぞれＥリング６５ａ、６５ａが取り付けられている。Ｅリング６５ａ、６５ａはそれぞれテーブル部６０の規制凹部６３ｄ、６３ｄ内に位置されている。Ｅリング６５ａ、６５ａが規制凹部６３ｄ、６３ｄの上面に接することにより、付勢バネ４８によって上方へ付勢されたセンターリング突部６１のテーブル部６０からの脱落が防止される。
【０１３３】
ディスクドライブ装置１は以上のように構成されており、上記した案内部材３１、カムスライダー３６、支持アーム４２、付勢バネ４８、チャッキングプーリー４９、押さえ部材５２、ディスクテーブル５９等によってディスクチャッキング機構６６が構成される（図１２参照）。
【０１３４】
ディスク状記録媒体１００の中心孔１００ａにセンターリング突部６１が下方から挿入されるときには、ディスク状記録媒体１００の内周縁がセンターリング突部６１の案内用傾斜面６１ｂに案内されてセンターリング用傾斜面６１ｃに接する。ディスク状記録媒体１００の中心孔１００ａにセンターリング突部６１が挿入されると、チャッキングプーリー４９が下降され、ディスクテーブル５９とチャッキングプーリー４９とによってディスク状記録媒体１００の内周部が挟持されて該ディスク状記録媒体１００がチャッキングされる。
【０１３５】
このときチャッキングプーリー４９の位置決め筒５１ｄの被案内孔５１ｅがディスクテーブル５９の位置決め突部６１ｄの案内縁６１ｆに案内され、位置決め筒５１ｄに位置決め突部６１ｄが挿入されてチャッキングプーリー４９とディスクテーブル５９との位置決めが行われる。同時に、ディスク状記録媒体１００の内周縁がセンターリング突部６０のセンターリング用傾斜面６１ｃに接した状態において、チャッキングプーリー４９の下降に伴ってディスク状記録媒体１００とセンターリング突部６１とが一体となって圧縮コイルバネ６２の付勢力に抗して下方へ移動されることにより、モーター軸２６ｇに対するディスク状記録媒体１００の位置決め（センターリング）が行われる。
【０１３６】
上記のように、センターリング突部６１をテーブル部６０に対してモーター軸２６ｇの軸方向へ移動可能とすることにより、ディスク状記録媒体１００の中心孔１００ａの径のバラツキが吸収され良好な精度でディスク状記録媒体１００のモーター軸２６ｇに対するセンターリングが行われる。
【０１３７】
ディスク状記録媒体１００がチャッキングされた状態においては、テーブル部６０の載置部６４に押し付けられたディスク状記録媒体１００に上方側からチャッキングプーリー４９が圧着される。
【０１３８】
次に、ディスクドライブ装置１の動作について説明する（図１３乃至図２１参照）。
【０１３９】
ディスクドライブ装置１にあっては、操作釦６、６、・・・のうちの電源釦が操作されて通電状態とされることにより動作が開始可能とされる。先ず、動作が開始される前の各部の初期状態について説明する。
【０１４０】
初期状態においては、図１３に示すように、ベースユニット９はインナーカバー１９内においてガイド部材８、８間のユニット収容部８ａに収容されている。ベースユニット９がユニット収容部８ａに収容された状態にあっては、図１４に示すように、支持アーム４２の第１の昇降用ピン４５、４５と第２の昇降用ピン４６、４６がそれぞれ案内部材３１の案内孔３５、３５の上端部に係合されると共にカムスライダー３６の前側カム孔３９、３９の水平部３９ａ、３９ａ、後側カム孔４０、４０の上側水平部４０ａ、４０ａに係合され、第１の昇降用ピン４５、４５は付勢バネ４８によって上方へ付勢され支持アーム４２のピン支持孔４４ａ、４４ａの上端部である非作用位置に係合されている。従って、カムスライダー３６は移動範囲における後方側の移動端に保持され、支持アーム４２は移動範囲における上方側の移動端に保持されている。
【０１４１】
このとき、上記のように、前側カム孔３９、３９の水平部３９ａ、３９ａが後側カム孔４０、４０の上側水平部４０ａ、４０ａより稍高い位置にあるため、支持アーム４２が移動範囲における上方側の移動端に保持された状態にあっては、支持アーム４２は稍前上がりの状態とされている（図１４参照）。
【０１４２】
初期状態にあっては、カバー２は記録媒体載置部７及びインナーカバー１９を閉塞する閉塞位置にある（図１３参照）。
【０１４３】
初期状態にあっては、回転体２０、２０、２０は下方側の移動端に位置されており、図１３に示すように、ベースパネル４のディスク載置面７ａから上方へ突出されていない。回転体２０、２０、２０のディスクセンターリング部２１、２１、２１はディスク載置面７ａの直ぐ外側に位置されている。
【０１４４】
電源釦が操作され通電された状態において、オープン釦が操作されると、カバー駆動部１４によってカバー２が移動され、該カバー２が記録媒体載置部７を開放する開放位置まで移動される（図１５参照）。
【０１４５】
カバー２が開放位置に移動された状態において、ディスク状記録媒体１００をディスク載置面７ａの任意の位置に載置しクローズ釦を操作する。
【０１４６】
クローズ釦が操作されると、カバー２がカバー駆動部１４によって閉塞位置まで移動され、記録媒体載置部７が閉塞される（図１６参照）。記録媒体載置部７は、上記したように、浅い凹状に形成されているため、ディスク状記録媒体１００はベースパネル４の上面から上方へ突出されておらず、カバー２が閉塞位置へ向けて移動されたときにディスク載置面７ａに載置されたディスク状記録媒体１００と接触することがない。
【０１４７】
次に、プレイ釦を操作すると回転体２０、２０、２０によるディスク状記録媒体１００のセンターリング動作が開始される。センターリング動作が開始されると回転体２０、２０、２０が上昇しながら回転され、ディスクセンターリング部２１、２１、２１がディスク状記録媒体１００をセンターリングするセンターリング位置へ向けて回転され、ディスク状記録媒体１００はディスクセンターリング部２１、２１、２１に外周縁を押圧されて移動されセンターリングが行われる（図１７参照）。このとき、回転体２０、２０、２０が上方へ移動されるため、ディスク状記録媒体１００が持ち上げられる。
【０１４８】
続いて、ユニット駆動部１２によってベースユニット９、コントロール基板１０及び配置ベース１１が一体となって、回転体２０、２０、２０によって持ち上げられたディスク状記録媒体１００に近付く方向（図１７に示すＬ１方向）へ移動される。
【０１４９】
ベースユニット９の移動によりディスクテーブル５９及びチャッキングプーリー４９がディスク状記録媒体１００の中心部に対応して位置されたところでベースユニット９のＬ１方向への移動が停止される（図１８参照）。このときディスク状記録媒体１００は回転体２０、２０、２０によってディスク載置面７ａから持ち上げられており、チャッキングプーリー４９とディスクテーブル５９との間にディスク状記録媒体１００が相対的に挿入される。
【０１５０】
ベースユニット９がＬ１方向へ移動されたときには、上記したように、支持アーム４２が稍前上がりの状態とされているため、チャッキングプーリー４９がディスク状記録媒体１００に接触せずチャッキングプーリー４９とディスクテーブル５９との間にディスク状記録媒体１００を円滑に挿入することができ、動作の信頼性の向上を図ることができる。
【０１５１】
ベースユニット９のＬ１方向への移動が停止されると、引き続いて、回転体２０、２０、２０が回転しながら下降されて初期状態に戻る。
【０１５２】
回転体２０、２０、２０が下降されると、ディスク状記録媒体１００が回転体２０、２０、２０に伴って下降され、中心孔１００ａにディスクテーブル５９のセンターリング突部６１が挿入され、ディスク状記録媒体１００の内周縁がセンターリング用傾斜面６１ｃに接する。従って、回転体２０、２０、２０はディスク状記録媒体１００から下方に離隔される。
【０１５３】
回転体２０、２０、２０がディスク状記録媒体１００から下方へ離隔され初期状態に戻ると、案内部材３１に取り付けられた駆動ユニット５４の昇降用モーター５５が回転される。昇降用モーター５５が回転されると、駆動ギヤ５３に噛合されているラック部材４１が前方へ送られてカムスライダー３６が前方へスライドされていく。
【０１５４】
カムスライダー３６が前方へスライドされていくと、支持アーム４２の第１の昇降用ピン４５、４５と第２の昇降用ピン４６、４６がカムスライダー３６の前側カム孔３９、３９、後側カム孔４０、４０及び案内部材３１の案内孔３５、３５内を相対的に移動される。
【０１５５】
第１の昇降用ピン４５、４５と第２の昇降用ピン４６、４６は、図１９に示すように、前側カム孔３９、３９の水平部３９ａ、３９ａから傾斜部３９ｂ、３９ｂ、後側カム孔４０、４０の上側水平部４０ａ、４０ａから傾斜部４０ｂ、４０ｂ内を移動されると共に案内孔３５、３５内を下方へ向けて移動される。従って、支持アーム４２は下方へ移動され、該支持アーム４２に支持されたチャッキングプーリー４９がディスク状記録媒体１００に近付く方向へ移動されていく。
【０１５６】
このとき、支持アーム４２は被規制孔４３ｃがロアーケース２４に設けられた規制ピン２５に案内され左右方向へのガタツキがない状態で下方へ移動される。
【０１５７】
カムスライダー３６がさらに前方へ移動されると、図２０に示すように、第１の昇降用ピン４５、４５が前側カム孔３９、３９の傾斜部３９ｂ、３９ｂ内を移動されると共に案内孔３５、３５内をさらに下方へ向けて移動される。このとき第２の昇降用ピン４６、４６は後側カム孔４０、４０の傾斜部４０ｂ、４０ｂから作用部４０ｃ、４０ｃ内を移動されると共に案内孔３５、３５内をさらに下方へ向けて移動される。従って、支持アーム４２はさらに下方へ向けて移動され、チャッキングプーリー４９が下降されてディスク状記録媒体１００が押さえ部５１ｃによって下方へ押圧される。
【０１５８】
このとき、チャッキングプーリー４９の回転摺動突起５１ｇが押さえ部材５２の下面に接し、該押さえ部材５２によってチャッキングプーリー４９がディスク状記録媒体１００に押し付けられる。
【０１５９】
カムスライダー３６がさらに前方へ移動されると、図２１に示すように、第１の昇降用ピン４５、４５が前側カム孔３９、３９の傾斜部３９ｂ、３９ｂから保持部３９ｃ、３９ｃ内を後方へ向けて移動されると共に案内孔３５、３５内をさらに下方へ向けて移動され、保持部３９ｃ、３９ｃの右端部である作用位置に達する。このとき第２の昇降用ピン４６、４６は後側カム孔４０、４０の作用部４０ｃ、４０ｃ内を移動されるため、第２の昇降用ピン４６、４６は上下動されず案内孔３５、３５内において停止されている。従って、第１の昇降用ピン４５、４５が付勢バネ４８の付勢力に抗してアーム板４３のピン支持孔４４ａ、４４ａ内を下方へ移動される。このとき付勢バネ４８は弾性変形され、支持アーム４２及び押さえ部材５２が付勢バネ４８の付勢力によって下方へ付勢される。
【０１６０】
支持アーム４２及び押さえ部材５２が付勢バネ４８の付勢力によって下方へ付勢されると、チャッキングプーリー４９によるディスク状記録媒体１００に対する押圧力が高まる。
【０１６１】
第１の昇降用ピン４５、４５及び第２の昇降用ピン４６、４６がそれぞれ保持部３９ｃ、３９ｃの右端部及び下側水平部４０ｃ、４０ｃの右端部に達することによりディスク状記録媒体１００のチャッキングが完了する。
【０１６２】
ディスク状記録媒体１００のチャッキングが完了すると、スピンドルモーター２６が回転され、該スピンドルモーター２６の回転に伴ってディスクテーブル５９、ディスク状記録媒体１００及びチャッキングプーリー４９が一体となって回転されると共に光ピックアップ２７の駆動によって、例えば、ディスク状記録媒体１００に対する情報信号の再生が行われる。チャッキングプーリー４９は回転摺動突起５１ｇが押さえ部材５２の下面に接した状態で回転される。
【０１６３】
ディスク状記録媒体１００に対する情報信号の再生が終了すると、昇降用モーター５５が先程とは逆方向へ回転され、カムスライダー３６が後方へ移動されて支持アーム４２が上方へ移動される。従って、ディスク状記録媒体１００に対するチャッキングプーリー４９とディスクテーブル５９とによるチャッキングが解除される。ディスク状記録媒体１００のチャッキングが解除されると、ディスク状記録媒体１００はディスクテーブル５９に載置された状態とされる。
【０１６４】
続いて、回転体２０、２０、２０が上昇され、回転体２０、２０、２０の上面２０ａ、２０ａ、２０ａがディスク状記録媒体１００の下面に接してディスク状記録媒体１００を持ち上げると共にディスクセンターリング部２１、２１、２１がディスク状記録媒体１００の外周縁に接する。従って、ディスク状記録媒体１００はディスクテーブル５９のテーブル部６０から上方へ持ち上げられる。
【０１６５】
回転体２０、２０、２０によってディスク状記録媒体１００が持ち上げられると、ユニット駆動部１２によってベースユニット９、コントロール基板１０及び配置ベース１１が一体となって図１７に示すＬ２方向へ移動され、ベースユニット９がユニット収容部８ａに収容される。
【０１６６】
ベースユニット９が後方へ移動されユニット収容部８ａに収容されると、回転体２０、２０、２０が回転しながら下降されディスク状記録媒体１００が記録媒体載置部７のディスク載置面７ａに載置される。
【０１６７】
次いで、オープン釦を操作してカバー２を開放位置に移動させることにより、ユーザーはディスク状記録媒体１００を把持してディスクドライブ装置１から取り出すことができる。
【０１６８】
以下に、支持アーム４２の位置精度について説明する（図２２参照）。尚、図２２には、支持アーム４２の精度を説明するために、支持アーム４２を誇張して傾斜させた状態で示している。
【０１６９】
第２の昇降用ピン４６とこれが係合されているカムスライダー３６の後側カム孔４０の上下方向の精度の和をＰ１とし、第１の昇降用ピン４５とこれが係合されているカムスライダー３６の前側カム孔３９の上下方向の精度の和をＰ２とし、チャッキングプーリー４９の回転摺動突起５１ｇとこれが係合されている押さえ部材５２の上下方向の精度の和をＰｃｐとし、第１の昇降用ピン４５と第２の昇降用ピン４６間の距離をＬ１、回転摺動突起５１ｇと第２の昇降用ピン４６間の距離をＬ２とする。
【０１７０】
このとき、支持アーム４２及び押さえ部材５２は、上記したように、剛性の高い金属材料によって形成され、ディスク状記録媒体１００がチャッキングされた状態において、付勢バネ４８によってディスクテーブル５９側へ付勢される。従って、位置精度の基準は回転摺動突起５１ｇと第２の昇降用ピン４６となり、チャッキングプーリー４９の中心位置における支持アーム４２の高さ精度Ｈ２’は、
Ｈ２’＝Ｐ１＋Ｐｃｐ・・・（第３式）
となる。
【０１７１】
この第３式を図２５を参照して説明した従来のディスクチャッキング機構ａにおけるＨ２＝（Ｐ１＋Ｐ２）×Ｌ２／Ｌ１（第１式）と比較すると、
Ｐｃｐ≦Ｐ２及びＬ２／Ｌ１≫１
であることよりＨ２≫Ｈ２’となる。
【０１７２】
次に、支持アーム４２の角度精度について説明する。
【０１７３】
支持アーム４２が水平面に対して傾いていた場合に、支持アーム４２の水平面に対する角度をθｎとすると、Ｔａｎθｎ＝Ｈ２’／Ｌ２となる。ここで、チャッキングプーリー４９については、その直径をＤｐとすると、チャッキングプーリー４９の中心位置における変位量Δｈ’は
Δｈ’＝Ｔａｎθｎ×Ｄｐ／２＝Ｈ２’×Ｄｐ／２Ｌ２＝（Ｐ１＋Ｐｃｐ）×Ｄｐ／２Ｌ２・・・（第４式）
となる。
【０１７４】
この第４式を図２５を参照して説明した従来のディスクチャッキング機構ａにおけるΔｈ＝Ｄｐ／２・Ｔａｎθｃ＝Ｈ１×Ｄｐ／２Ｌ１＝（Ｐ１＋Ｐ２）×Ｄｐ／２Ｌ１（第２式）と比較すると、
Ｐｃｐ≦Ｐ２及びＬ２≫Ｌ１
であることよりΔｈ≫Δｈ’となる。
【０１７５】
従って、上記のように、作用位置に保持された第１の昇降用ピン４５、４５によって付勢バネ４８を弾性変形させて支持アーム４２及び押さえ部材５２をディスクテーブル５９に接近する方向へ付勢することにより、支持アーム４２の位置精度の大幅な向上が図られ、ディスクドライブ装置１の薄型化を図ることができる。
【０１７６】
また、ディスクドライブ装置１にあっては、アッパーケース２３に規制ピン２５を設け、支持アーム４２に被規制孔４３ｃを形成して左右方向へのガタツキを抑制している。従って、ディスクテーブル５９の位置決め突部６１ｄがチャッキングプーリー４９の位置決め筒５１ｄに挿入されるときのディスクテーブル５９の中心とチャッキングプーリー４９の中心との位置ズレが低減されるため、チャッキングプーリー４９の位置決め筒５１ｄの呼び込み範囲Ｄθを小さくすることにより位置決め筒５１ｄの長さを短くすることができ、その分、ディスクドライブ装置１の薄型化を図ることができる。
【０１７７】
尚、上記には、アッパーケース２３に規制ピン２５を設け、支持アーム４２に被規制孔４３ｃを形成して左右方向へのガタツキを抑制した例を示したが、逆に、アッパーケース２３に被規制孔を形成し、支持アーム４２に規制ピンを設けて左右方向へのガタツキを抑制してもよい。
【０１７８】
また、アッパーケース２３に代えて、ロアーケース４８に規制ピン又は被規制孔を形成し、支持アーム４２に被規制孔又は規制ピンを形成することも可能である。
【０１７９】
上記した最良の形態において示した各部の形状及び構造は、何れも本発明の実施に際しての具体化のほんの一例を示したものに過ぎず、これらによって、本発明の技術的範囲が限定的に解釈されることがあってはならないものである。
【図面の簡単な説明】
【０１８０】
【図１】図２乃至図２２と共に本発明の最良の実施の形態を示すものであり、本図はカバー及びインナーカバーを分離した状態で示すディスクドライブ装置の斜視図である。
【図２】カバーを分離した状態で示すディスクドライブ装置の斜視図である。
【図３】べースユニットの分解斜視図である。
【図４】べースユニットの一部を示す拡大分解斜視図である。
【図５】ディスクテーブルとスピンドルモーターを示す拡大断面図である。
【図６】案内部材と規制ピンと駆動ギヤを示す拡大斜視図である。
【図７】カムスライダーと規制ピンを示す拡大斜視図である。
【図８】カムスライダーの拡大側面図である。
【図９】支持アームとチャッキングプーリーと規制ピンを示す拡大斜視図である。
【図１０】支持アームが案内部材及びカムスライダーに支持された状態を駆動ユニットを分離した状態で示す拡大斜視図である。
【図１１】図９のＸＩ―ＸＩ線に沿う拡大断面図である。
【図１２】チャッキングプーリーとディスクテーブルを示す拡大断面図である。
【図１３】図１４乃至図２１と共にディスクドライブ装置の動作を示すものであり、本図は初期状態を示すディスクドライブ装置の斜視図である。
【図１４】チャッキングプーリーとディスクテーブルとの間にディスク状記録媒体が挿入された状態を一部を断面にして示す側面図である。
【図１５】カバーが開放位置に移動された状態を示す斜視図である。
【図１６】ディスク載置面にディスク状記録媒体が載置された状態でカバーが閉塞位置に移動された状態を示す斜視図である。
【図１７】ディスク状記録媒体のセンターリングが完了した状態をカバーを取り外して示す斜視図である。
【図１８】ディスク状記録媒体のセンターリングが完了しベースユニットがユニット収容部から引き出された状態をカバーを取り外して示す斜視図である。
【図１９】チャッキング動作が行われている途中の状態を一部を断面にして示す側面図である。
【図２０】図１９に引き続き、チャッキング動作が行われている途中の状態を一部を断面にして示す側面図である。
【図２１】チャッキング動作が完了した状態を一部を断面にして示す側面図である。
【図２２】支持アームの位置精度を説明するための概念図である。
【図２３】図２４と共に従来のディスクチャッキング機構の一例を示すものであり、本図はディスク状記録媒体がチャッキングされる前の状態を一部を断面にして示す側面図である。
【図２４】ディスク状記録媒体がチャッキングされた状態を一部を断面にして示す側面図である。
【図２５】従来のディスクチャッキング機構の支持アームの位置精度を説明するための概念図である。
【図２６】支持アームの支持孔の大きさとディスクチャッキング機構の厚みとの関係を説明するための概念図である。
【符号の説明】
【０１８１】
１００…ディスク状記録媒体、１…ディスクドライブ装置、２２…筐体、２２…規制ピン（規制部）、２６…スピンドルモーター、２６ｇ…モーター軸、３１…案内部材（移動手段）、３６…カムスライダー（移動手段）、３９ｃ…保持部、４２…支持アーム、４３ｃ…被規制孔（被規制部）、４５…第１の昇降用ピン、４６…第２の昇降用ピン、４８…付勢バネ、４９…チャッキングプーリー、５１ｄ…位置決め筒、５１ｇ…回転摺動突起、５２…押さえ部材、５９…ディスクテーブル、６１ｄ…位置決め突部、６６…ディスクチャッキング機構
【図１】
2005092953.tif 000003
【図２】
2005092953.tif 000004
【図３】
2005092953.tif 000005
【図４】
2005092953.tif 000006
【図５】
2005092953.tif 000007
【図６】
2005092953.tif 000008
【図７】
2005092953.tif 000009
【図８】
2005092953.tif 000010
【図９】
2005092953.tif 000011
【図１０】
2005092953.tif 000012
【図１１】
2005092953.tif 000013
【図１２】
2005092953.tif 000014
【図１３】
2005092953.tif 000015
【図１４】
2005092953.tif 000016
【図１５】
2005092953.tif 000017
【図１６】
2005092953.tif 000018
【図１７】
2005092953.tif 000019
【図１８】
2005092953.tif 000020
【図１９】
2005092953.tif 000021
【図２０】
2005092953.tif 000022
【図２１】
2005092953.tif 000023
【図２２】
2005092953.tif 000024
【図２３】
2005092953.tif 000025
【図２４】
2005092953.tif 000026
【図２５】
2005092953.tif 000027
【図２６】
2005092953.tif 000028